(57)【要約】【課題】搬送ベルトに設けられた複数の穴から吸引して媒体を吸着する搬送ベルトによって媒体を媒体トレイに搬送する際に、複数の穴の一部からリークが発生して吸着力が低下することを抑制する。【解決手段】媒体搬送装置３０において、第２搬送手段３４は、第２搬送ローラー対３３から受け渡された媒体Ｐを搬送ベルト４０に吸着して第１搬送方向＋Ｙに搬送し、媒体Ｐの第１端部Ｅ１が所定の切替位置Ｆまで搬送されたら、媒体Ｐを第２搬送方向−Ｙに向けて搬送して第１トレイ３５に載置する構成であり、搬送ベルト４０において、第１吸引部４３の作用によって媒体Ｐを吸着する第１吸着領域Ｋ１は、第１搬送方向＋Ｙにおいて切替位置Ｆよりも下流であって、媒体Ｐの第１端部Ｅ１が整合部３８に位置したとき、媒体Ｐの第２端部Ｅ２の位置よりも上流に配置される。【選択図】図３
2020045193.tif 000002
【特許請求の範囲】
【請求項１】
媒体を第１搬送方向に搬送する第１搬送手段と、
前記第１搬送手段に対して前記第１搬送方向下流に配置され、前記媒体を前記第１搬送方向と、前記第１搬送方向とは逆の第２搬送方向と、の双方に搬送可能な第２搬送手段と、
前記媒体を載置するとともに、前記媒体の前記第１搬送方向における上流の端部である第１端部を整合させる整合部を備える媒体載置部と、を備え、
前記第２搬送手段は、
複数の穴を有し、回転駆動される環状の搬送ベルトと、
前記搬送ベルトの環の内側に配置され、第１吸引手段により負圧にされて前記複数の穴のうちの一部に吸着力を発生させる第１吸引部と、を備え、
前記第１搬送手段から受け渡された前記媒体を前記搬送ベルトに吸着して前記第１搬送方向に搬送し、前記媒体の前記第１端部が所定の切替位置まで搬送されたら、前記媒体を前記第２搬送方向に向けて搬送して前記媒体載置部に載置する構成であり、
前記搬送ベルトにおいて、前記第１吸引部の作用によって前記媒体を吸着する第１吸着領域は、
前記第１搬送方向において前記切替位置よりも下流であって、前記媒体の前記第１端部が前記整合部に位置したとき、当該媒体の前記第１搬送方向における下流の端部である第２端部の位置よりも上流に配置される、
ことを特徴とする媒体搬送装置。
【請求項２】
請求項１に記載の媒体搬送装置において、
前記搬送ベルトの環の内側であって、前記第１搬送方向において前記第１搬送手段と前記切替位置との間に配置され、第２吸引手段により負圧にされて前記複数の穴のうちの一部に吸着力を発生させる第２吸引部を備える、
ことを特徴とする媒体搬送装置。
【請求項３】
請求項１または請求項２に記載の媒体搬送装置において、
前記搬送ベルトは、前記媒体に対して上方に配置されている、
ことを特徴とする媒体搬送装置。
【請求項４】
請求項１から請求項３のいずれか一項に記載の媒体搬送装置において、
前記搬送ベルトの、前記第１吸着領域に吸着された前記媒体を、前記搬送ベルトから剥離する第１剥離手段を備える、
ことを特徴とする媒体搬送装置。
【請求項５】
請求項２に記載の媒体搬送装置において、
前記搬送ベルトの、前記第２吸引部に対応する吸着領域である第２吸着領域に吸着された前記媒体を、前記搬送ベルトから剥離する第２剥離手段を備える、
ことを特徴とする媒体搬送装置。
【請求項６】
請求項１から請求項５のいずれか一項に記載の媒体搬送装置において、
前記第１吸着領域は、前記媒体搬送装置において搬送可能な最小サイズの媒体の前記第１端部が前記整合部に位置する際の、当該最小サイズの媒体の前記第２端部の位置よりも上流に配置される、
ことを特徴とする媒体搬送装置。
【請求項７】
請求項６に記載の媒体搬送装置において、
前記第１吸着領域は、前記第１搬送方向及び前記第２搬送方向と交差する幅方向において、前記最小サイズの媒体の内側に配置される、
ことを特徴とする媒体搬送装置。
【請求項８】
媒体を第１搬送方向に搬送する第１搬送手段と、
前記第１搬送手段に対して前記第１搬送方向下流に配置され、前記媒体を前記第１搬送方向と、前記第１搬送方向とは逆の第２搬送方向と、の双方に搬送可能な第２搬送手段と、
前記媒体を載置するとともに、前記媒体の前記第１搬送方向における上流の端部である第１端部を整合させる整合部を備える媒体載置部と、を備え、
前記第２搬送手段は、
複数の穴を有し、回転駆動される環状の搬送ベルトと、
前記搬送ベルトの環の内側に配置され、第１吸引手段により負圧にされて前記複数の穴のうちの一部に吸着力を発生させる第１吸引部と、を備え、
前記第１搬送手段から受け渡された前記媒体を前記搬送ベルトに吸着して前記第１搬送方向に搬送し、前記媒体の前記第１端部が、前記第１吸引部の作用によって前記媒体を吸着する第１吸着領域の前記第１搬送方向上流端より上流まで搬送されたら、前記媒体を前記第２搬送方向に向けて搬送して前記媒体載置部に載置する構成であり、
前記媒体の前記第１端部が前記整合部に位置したとき、前記第１吸着領域全体が前記媒体を吸着する、
ことを特徴とする媒体搬送装置。
【請求項９】
請求項１から請求項８のいずれか一項に記載の前記媒体搬送装置と、
前記媒体載置部に載置された前記媒体に所定の処理を実行する処理部と、を備える、
ことを特徴とする媒体処理装置。
【請求項１０】
媒体に記録を行う記録手段を備える記録ユニットと、
前記記録ユニットにおける記録後の前記媒体を搬送する、請求項１から請求項８のいずれか一項に記載の前記媒体搬送装置を備え、前記媒体載置部に載置された前記媒体に所定の処理を実行する処理部を備える処理ユニットと、
を備えることを特徴とする記録システム。
【請求項１１】
請求項１０に記載の記録システムにおいて、
記録後の前記媒体を、前記記録ユニットから受け入れて前記処理ユニットに受け渡す中間ユニットを備える、
ことを特徴とする記録システム。
【発明の詳細な説明】
【技術分野】
【０００１】
本発明は、媒体を搬送する媒体搬送装置、前記媒体搬送装置を備える媒体処理装置、及び前記媒体搬送装置を備える記録システムに関する。
【背景技術】
【０００２】
媒体を媒体搬送装置によって搬送してスタックし、スタックされた媒体に対してパンチング処理やステープル処理等の処理を施す媒体処理装置がある。尚、このような媒体処理装置は、インクジェットプリンターに代表される記録装置における媒体への記録から、記録後の媒体へのステープル処理等の後処理までを連続して実行可能な記録システムに組み込まれる場合もある。
【０００３】
媒体処理装置には、排出手段によって排出される媒体を一旦スイッチバックさせて後端を処理部に整列させ、整列した後端に処理を行うように構成されるものがある。  
一例として特許文献１には、「排出手段」としての搬送ローラー２７と、「処理部」としてのステープル部２５と、を備える媒体処理装置が開示されている。「排出手段」から排出された媒体は、斜め下方にスイッチバックされて、後端がステープル部２５に落とされる。
【０００４】
特許文献１に開示の媒体処理装置においては、「排出手段」としての搬送ローラー２７の下流側に、媒体に対してスイッチバック方向への搬送力を付与する搬送手段は設けられていない。「処理部」で媒体の後端をより確実に整列させるためには、「排出手段」の下流側に媒体をスイッチバック可能な下流側搬送手段を設けることが望ましい。  
「下流側搬送手段」としては、特許文献２に示すように、ベルトに設けられた複数の穴から媒体を吸引して吸着し搬送する吸着ベルトを採用することが可能である。
【先行技術文献】
【特許文献】
【０００５】
【特許文献１】特開２０１５−１０７８４０号公報
【特許文献２】特開２００８−２６６０２０号公報
【発明の概要】
【発明が解決しようとする課題】
【０００６】
「下流側搬送手段」として吸着ベルトを用いる場合、「排出手段」から排出された媒体をスイッチバックさせて後端を「処理部」において整列させる際に、媒体の一部がベルトから離れると、複数の穴の一部からリークが発生して吸着力が低下することがある。
【課題を解決するための手段】
【０００７】
上記課題を解決する本発明の媒体搬送装置は、媒体を第１搬送方向に搬送する第１搬送手段と、前記第１搬送手段に対して前記第１搬送方向下流に配置され、前記媒体を前記第１搬送方向と、前記第１搬送方向とは逆の第２搬送方向と、の双方に搬送可能な第２搬送手段と、前記媒体を載置するとともに、前記媒体の前記第１搬送方向における上流の端部である第１端部を整合させる整合部を備える媒体載置部と、を備え、前記第２搬送手段は、複数の穴を有し、回転駆動される環状の搬送ベルトと、前記搬送ベルトの環の内側に配置され、第１吸引手段により負圧にされて前記複数の穴のうちの一部に吸着力を発生させる第１吸引部と、を備え、前記第１搬送手段から受け渡された前記媒体を前記搬送ベルトに吸着して前記第１搬送方向に搬送し、前記媒体の前記第１端部が所定の切替位置まで搬送されたら、前記媒体を前記第２搬送方向に向けて搬送して前記媒体載置部に載置する構成であり、前記搬送ベルトにおいて、前記第１吸引部の作用によって前記媒体を吸着する第１吸着領域は、前記第１搬送方向において前記切替位置よりも下流であって、前記媒体の前記第１端部が前記整合部に位置したとき、当該媒体の前記第１搬送方向における下流の端部である第２端部の位置よりも上流に配置されることを特徴とする。
【図面の簡単な説明】
【０００８】
【図１】第１実施形態に係る記録システムの概略図。
【図２】第１実施形態に係る媒体搬送装置の要部を示す斜視図。
【図３】第１実施形態に係る媒体搬送装置の要部を示す側断面図。
【図４】媒体搬送装置における媒体の搬送について説明する図。
【図５】媒体搬送装置における媒体の搬送について説明する図。
【図６】媒体搬送装置の要部を示す底面図。
【図７】第１トレイから第２トレイへの媒体の排出について説明する図。
【図８】第１剥離手段の突出状態を示す側断面図。
【図９】第１剥離手段が退避状態から突出状態に切り替わる過程において、突出開始部が搬送面から突出した状態を示す図。
【図１０】第１吸引部の変更例を示す図。
【発明を実施するための形態】
【０００９】
以下、本発明について概略的に説明する。  
第１の態様に係る媒体搬送装置は、媒体を第１搬送方向に搬送する第１搬送手段と、前記第１搬送手段に対して前記第１搬送方向下流に配置され、前記媒体を前記第１搬送方向と、前記第１搬送方向とは逆の第２搬送方向と、の双方に搬送可能な第２搬送手段と、前記媒体を載置するとともに、前記媒体の前記第１搬送方向における上流の端部である第１端部を整合させる整合部を備える媒体載置部と、を備え、前記第２搬送手段は、複数の穴を有し、回転駆動される環状の搬送ベルトと、前記搬送ベルトの環の内側に配置され、第１吸引手段により負圧にされて前記複数の穴のうちの一部に吸着力を発生させる第１吸引部と、を備え、前記第１搬送手段から受け渡された前記媒体を前記搬送ベルトに吸着して前記第１搬送方向に搬送し、前記媒体の前記第１端部が所定の切替位置まで搬送されたら、前記媒体を前記第２搬送方向に向けて搬送して前記媒体載置部に載置する構成であり、前記搬送ベルトにおいて、前記第１吸引部の作用によって前記媒体を吸着する第１吸着領域は、前記第１搬送方向において前記切替位置よりも下流であって、前記媒体の前記第１端部が前記整合部に位置したとき、当該媒体の前記第１搬送方向における下流の端部である第２端部の位置よりも上流に配置されることを特徴とする。
【００１０】
本態様によれば、前記搬送ベルトにおいて、前記第１吸引部の作用によって前記媒体を吸着する第１吸着領域は、前記第１搬送方向において前記切替位置よりも下流であって、前記媒体の前記第１端部が前記整合部に位置したとき、当該媒体の前記第２端部の位置よりも上流に配置されるので、前記媒体が前記第２搬送方向に搬送されて前記第１端部が前記整合部に位置するまでの間、前記第１吸引部によって吸着力が発生する複数の穴が、前記媒体によって前記第２搬送方向に亘って塞がれる。以って、前記第１吸引部のリークを少なくすることができる。したがって、前記搬送ベルトの穴に発生する吸着力が保持され、前記搬送ベルトに前記媒体を確実に吸着させて前記第２搬送方向に搬送することができる。
【００１１】
第２の態様は、第１の態様において、前記搬送ベルトの環の内側であって、前記第１搬送方向において前記第１搬送手段と前記切替位置との間に配置され、第２吸引手段により負圧にされて前記複数の穴のうちの一部に吸着力を発生させる第２吸引部を備える、ことを特徴とする。
【００１２】
本態様によれば、前記搬送ベルトの環の内側であって、前記第１搬送方向において前記第１搬送手段と前記切替位置との間に配置され、第２吸引手段により負圧にされて前記複数の穴のうちの一部に吸着力を発生させる第２吸引部を備えるので、前記媒体を、前記第１搬送方向における前記第１搬送手段と前記切替位置との間において前記搬送ベルトに吸着させることができる。
【００１３】
第３の態様は、第１の態様または第２の態様において、前記搬送ベルトは、前記媒体に対して上方に配置されている、ことを特徴とする。
【００１４】
本態様によれば、前記媒体の上方に配置された前記搬送ベルトによって前記媒体を吸着することができる。
【００１５】
第４の態様は、第１の態様から第３の態様のいずれかにおいて、前記搬送ベルトの、第１吸着領域に吸着された前記媒体を、前記搬送ベルトから剥離する第１剥離手段を備える、ことを特徴とする。
【００１６】
本態様によれば、前記搬送ベルトの、前記第１吸着領域に吸着された前記媒体を、前記搬送ベルトから剥離する第１剥離手段を備えるので、前記媒体を前記第２搬送方向に搬送して前記媒体載置部に載置する際に、前記媒体を前記搬送ベルトの前記第１吸着領域から剥離することができる。このことによって、前記媒体の前記第２端部を、前記媒体載置部側に誘導することができる。
【００１７】
第５の態様は、第２の態様において、前記搬送ベルトの、前記第２吸引部に対応する吸着領域である第２吸着領域に吸着された前記媒体を、前記搬送ベルトから剥離する第２剥離手段を備える、ことを特徴とする。
【００１８】
本態様によれば、前記搬送ベルトの、前記第２吸着領域に吸着された前記媒体を、前記搬送ベルトから剥離する第２剥離手段を備えるので、前記媒体を前記第２搬送方向に搬送して前記媒体載置部に載置する際に、前記第２吸着領域に前記媒体が吸着しないようにすることができる。このことによって、前記媒体の前記第１端部を前記媒体載置部側に誘導することができる。
【００１９】
第６の態様は、第１の態様から第５の態様のいずれかにおいて、前記第１吸着領域は、前記媒体搬送装置において搬送可能な最小サイズの媒体の前記第１端部が前記整合部に位置する際の、当該最小サイズの媒体の前記第２端部の位置よりも上流に配置される、ことを特徴とする。
【００２０】
本態様によれば、前記第１吸着領域は、前記媒体搬送装置において搬送可能な最小サイズの媒体の前記第１端部が前記整合部に位置する際の、当該最小サイズの媒体の前記第２端部の位置よりも上流に配置されるので、前記媒体搬送装置において搬送可能な媒体に対して、第１の態様から第５の態様と同様の作用効果が得られる。
【００２１】
第７の態様は、第６の態様において、前記第１吸着領域は、前記第１搬送方向及び前記第２搬送方向と交差する幅方向において、前記最小サイズの媒体の内側に配置される、ことを特徴とする。
【００２２】
本態様によれば、前記第１吸着領域は、前記第１搬送方向及び前記第２搬送方向と交差する幅方向において、前記最小サイズの媒体の内側に配置されるので、前記媒体搬送装置において搬送可能なすべてのサイズの媒体に対して、前記幅方向における前記第１吸引部のリークの虞を低減することができる。
【００２３】
第８の態様に係る媒体搬送装置は、媒体を第１搬送方向に搬送する第１搬送手段と、前記第１搬送手段に対して前記第１搬送方向下流に配置され、前記媒体を前記第１搬送方向と、前記第１搬送方向とは逆の第２搬送方向と、の双方に搬送可能な第２搬送手段と、前記媒体を載置するとともに、前記媒体の前記第１搬送方向における上流の端部である第１端部を整合させる整合部を備える媒体載置部と、を備え、前記第２搬送手段は、複数の穴を有し、回転駆動される環状の搬送ベルトと、前記搬送ベルトの環の内側に配置され、第１吸引手段により負圧にされて前記複数の穴のうちの一部に吸着力を発生させる第１吸引部と、を備え、前記第１搬送手段から受け渡された前記媒体を前記搬送ベルトに吸着して前記第１搬送方向に搬送し、前記媒体の前記第１端部が、前記第１吸引部の作用によって前記媒体を吸着する第１吸着領域の前記第１搬送方向上流端より上流まで搬送されたら、前記媒体を前記第２搬送方向に向けて搬送して前記媒体載置部に載置する構成であり、前記媒体の前記第１端部が前記整合部に位置したとき、前記第１吸着領域全体が前記媒体を吸着することを特徴とする。
【００２４】
本態様によれば、前記媒体の前記第１端部が前記整合部に位置したとき、前記第１吸着領域全体が前記媒体を吸着するので、前記媒体が前記第２搬送方向に搬送されて前記第１端部が前記整合部に位置するまでの間、前記第１吸引部によって吸着力が発生する複数の穴が、前記媒体によって前記第２搬送方向に亘って塞がれる。以って、前記第１吸引部のリークを少なくすることができる。したがって、前記搬送ベルトの穴に発生する吸着力が保持され、前記搬送ベルトに前記媒体を確実に吸着させて前記第２搬送方向に搬送することができる。
【００２５】
第９の態様に係る媒体処理装置は、第１の態様から第８の態様のいずれかに記載の前記媒体搬送装置と、前記媒体載置部に載置された前記媒体に所定の処理を実行する処理部と、を備える、ことを特徴とする。
【００２６】
本態様によれば、前記媒体搬送装置の前記媒体載置部に載置された前記媒体に所定の処理を実行する処理部を備える媒体処理装置において、第１の態様から第８の態様と同様の作用効果が得られる。
【００２７】
第１０の態様に係る記録システムは、媒体に記録を行う記録手段を備える記録ユニットと、前記記録ユニットにおける記録後の前記媒体を搬送する、第１から第８のいずれかの態様の前記媒体搬送装置を備え、前記媒体載置部に載置された前記媒体に所定の処理を実行する処理部を備える処理ユニットと、を備えることを特徴とする。
【００２８】
本態様によれば、媒体に記録を行う記録手段を備える記録ユニットと、前記記録ユニットにおける記録後の前記媒体を搬送する前記媒体搬送装置を備え、前記媒体載置部に載置された前記媒体に所定の処理を実行する処理部を備える処理ユニットと、を備える記録システムにおいて、第１の態様から第７の態様と同様の作用効果が得られる。
【００２９】
第１１の態様は、第１０の態様において、記録後の前記媒体を、前記記録ユニットから受け入れて前記処理ユニットに受け渡す中間ユニットを備える、ことを特徴とする。
【００３０】
本態様によれば、記録後の前記媒体を、前記記録ユニットから受け入れて前記処理ユニットに受け渡す中間ユニットを備える記録システムにおいて、第１０の態様と同様の作用効果が得られる。
【００３１】
［第１実施形態］
以下、第１実施形態について図を参照して説明する。各図において示すＸ−Ｙ−Ｚ座標系はＸ軸方向が媒体の幅方向であり、装置奥行き方向を示し、Ｙ軸方向が装置幅方向を示し、Ｚ軸方向が装置高さ方向を示している。
【００３２】
＜＜＜記録システムの概略＞＞＞
図１に示す記録システム１は、一例として、図１の右方から左方に向かって順に記録ユニット２と、中間ユニット３と、処理ユニット４とを備えている。  
記録ユニット２は、媒体に記録を行う「記録手段」としてのラインヘッド１０を備えている。中間ユニット３は、記録後の媒体を記録ユニット２から受け入れて処理ユニット４に受け渡す。処理ユニット４は、記録ユニット２における記録後の媒体を搬送する媒体搬送装置３０を備え、媒体搬送装置３０の「媒体載置部」としての第１トレイ３５に載置された媒体に所定の処理を実行する処理部３６を備えている。  
つまり、記録ユニット２、中間ユニット３、及び処理ユニット４は互いに接続されて、記録ユニット２から処理ユニット４まで媒体を搬送可能に構成されている。
【００３３】
記録システム１は、図示を省略する操作パネルから、記録ユニット２、中間ユニット３及び処理ユニット４における媒体への記録動作等を入力することができるように構成されている。操作パネルは、一例として記録ユニット２に設けることができる。  
以下、記録ユニット２、中間ユニット３と、処理ユニット４の順にそれぞれの概略構成を説明する。
【００３４】
＜＜＜記録ユニットについて＞＞＞
図１に示す記録ユニット２は、媒体に液体であるインクを吐出して記録を行うラインヘッド１０（記録手段）を備えるプリンター部５と、スキャナー部６を備える複合機として構成されている。本実施形態において、プリンター部５は、所謂インクジェットプリンターとして構成されている。  
記録ユニット２の装置下部には、複数の媒体収容カセット７が設けられている。媒体収容カセット７に収容された媒体が、図１の記録ユニット２において実線で示す搬送経路１１を通ってラインヘッド１０による記録領域に送られて、記録動作が行われる。ラインヘッド１０による記録後の媒体は、ラインヘッド１０の上方に設けられる記録後排出トレイ８に媒体を排出するための経路である第１排出経路１２か、中間ユニット３に媒体を送るための経路である第２排出経路１３か、のいずれかに送られる。図１の記録ユニット２において、第１排出経路１２を破線で示し、第２排出経路１３を一点鎖線で示している。
【００３５】
記録ユニット２は、図１の記録ユニット２において二点鎖線で示す反転用経路１４を備え、媒体の第１面への記録後に、媒体を反転して第２面への記録を行う両面記録が可能に構成されている。  
尚、搬送経路１１、第１排出経路１２、第２排出経路１３、及び反転用経路１４のそれぞれには、媒体を搬送する手段の一例として、図示を省略する搬送ローラー対が一対以上配置されている。  
記録ユニット２には、記録ユニット２における媒体の搬送や記録に係る動作を制御する制御部１５が設けられている。制御部１５は、記録ユニット２だけでなく、後述する処理ユニット４における各種動作を制御可能に構成することもできる。
【００３６】
＜＜＜中間ユニットについて＞＞＞
図１に示す中間ユニット３は、記録ユニット２と処理ユニット４との間に配置され、記録ユニット２の第２排出経路から受け渡される記録後の媒体を受入経路２０で受けて、処理ユニット４に搬送するように構成されている。受入経路２０は、図１に示す中間ユニット３において実線で示している。
【００３７】
中間ユニット３において、媒体を搬送する搬送経路は二つある。一つ目の搬送経路は、受入経路２０から第１スイッチバック経路２１を経て、排出経路２３に搬送される経路である。二つ目の経路は、受入経路２０から第２スイッチバック経路２２を経て、排出経路２３に搬送される経路である。  
第１スイッチバック経路２１は矢印Ａ１方向に媒体を受け入れた後、矢印Ａ２方向に媒体をスイッチバックさせる経路である。第２スイッチバック経路２２は矢印Ｂ１方向に媒体を受け入れた後、矢印Ｂ２方向に媒体をスイッチバックさせる経路である。
【００３８】
受入経路２０は、分岐部２４において第１スイッチバック経路２１と第２スイッチバック経路２２とに分岐している。また、第１スイッチバック経路２１と第２スイッチバック経路２２は合流部２５において合流している。したがって、媒体が受入経路２０からいずれのスイッチバック経路に送られても、共通の排出経路２３から処理ユニット４に媒体を受け渡すことができる。  
受入経路２０、第１スイッチバック経路２１、第２スイッチバック経路２２、及び排出経路２３のそれぞれには、図示を省略する搬送ローラー対が一つ以上配置されている。
【００３９】
記録ユニット２において、複数の媒体に連続して記録を行う場合、中間ユニット３に入った媒体は、第１スイッチバック経路２１を通る搬送経路と、第２スイッチバック経路２２を通る搬送経路とに交互に送られる。このことによって、中間ユニット３における媒体搬送のスループットを高めることができる。  
尚、中間ユニット３は省略した記録システムとすることも可能である。つまり、記録ユニット２に直接処理ユニットを接続するように構成することもできる。  
記録ユニット２における記録後の媒体を、中間ユニット３を経由して処理ユニット４に送る場合には、記録ユニット２から直接処理ユニット４に媒体を送る場合よりも搬送時間が長くなるので、処理ユニット４に搬送される前に媒体のインクをより乾燥させることができる。
【００４０】
＜＜＜処理ユニットについて＞＞＞
図１に示す処理ユニット４は、媒体を搬送する媒体搬送装置３０を備え、媒体搬送装置３０において搬送された媒体に、処理部３６において処理を行うように構成されている。処理部３６において行う処理の一例としては、ステープル処理や、パンチング処理が挙げられる。本実施形態において、媒体搬送装置３０は、中間ユニット３の排出経路２３から受け渡された媒体を搬送経路３１に搬送する。以下において、媒体搬送装置３０について詳しく説明する。
【００４１】
■■■媒体搬送装置について■■■
媒体搬送装置３０は、媒体を第１搬送方向に搬送する「第１搬送手段」としての第１搬送ローラー対３２及び第２搬送ローラー対３３を備えている。本実施形態において、第１搬送方向は概ね＋Ｙ方向に沿う方向であるので、以下において、第１搬送方向を第１搬送方向＋Ｙと言う。  
尚、「第１搬送手段」は一つ、或いは三つ以上の搬送ローラー対によって構成されていてもよい。また、搬送ローラー対でニップして搬送する構成の他、後述する第２搬送手段３４のように、搬送ベルトによって媒体を搬送する構成とすることも可能である。
【００４２】
第１搬送方向＋Ｙにおいて第２搬送ローラー対３３に対して下流には、第２搬送手段３４が配置されている。第２搬送手段３４は、後述する搬送ベルト４０によって媒体を搬送する。第２搬送手段３４は、媒体を第１搬送方向＋Ｙと、第１搬送方向＋Ｙとは逆の第２搬送方向と、の双方に搬送可能に構成されている。尚、以下において、第２搬送方向を第２搬送方向−Ｙと言う。
【００４３】
更に、媒体搬送装置３０は、図３に示すように、第２搬送手段３４によって搬送される媒体Ｐを載置するとともに、媒体Ｐの第１搬送方向＋Ｙにおける上流の端部である第１端部Ｅ１を整合させる整合部３８を備える第１トレイ３５を備えている。第１端部Ｅ１は、媒体Ｐにおいて−Ｙ方向の端部である。
【００４４】
以下において、第２搬送手段３４について詳しく説明する。  
図３に示す搬送ベルト４０は、搬送される媒体Ｐに対して上方に配置される。つまり、搬送ベルト４０は、媒体を上方から吸着して搬送する構成である。  
また、搬送ベルト４０は、図２に示すように、第１搬送方向＋Ｙと交差する幅方向であるＸ軸方向に間隔を空けて二つ設けられている。
【００４５】
環状の搬送ベルト４０は、図３に示すように、第１ローラー４６Ａ、第２ローラー４６Ｂ、第３ローラー４６Ｃ、及び第４ローラー４６Ｄの４つのローラーに掛け回されている。第４ローラー４６Ｄは、不図示の駆動源により、図３における時計回りと反時計回りの双方に回転可能に構成されている。  
搬送ベルト４０は、第１ローラー４６Ａと第４ローラー４６Ｄの間に位置する第１吸着領域Ｋ１と第２吸着領域Ｋ２において、媒体を吸着する。
【００４６】
図３において、第４ローラー４６Ｄが時計回りに回転すると、搬送ベルト４０も時計回りに回転し、搬送ベルト４０に吸着された媒体は第１搬送方向＋Ｙに搬送される。逆に、第４ローラー４６Ｄが反時計回りに回転すると、搬送ベルト４０も反時計回りに回転し、搬送ベルト４０に吸着された媒体は第２搬送方向−Ｙに搬送される。第３ローラー４６Ｃは、図３に示す長孔４８に沿う方向に移動可能に構成されており、搬送ベルト４０のテンションを調整可能に構成されている。
【００４７】
第２搬送手段３４は、図２に示すように、複数の穴４１を有し、回転駆動される環状の搬送ベルト４０と、図３に示すように、搬送ベルト４０の環の内側に配置される第１吸引部４３を備えている。第１吸引部４３は、第１吸引手段４２により負圧にされて複数の穴４１のうちの一部に吸着力を発生させる。第１吸引手段４２としては、吸引ポンプや吸引ファンを用いることができる。  
より具体的には、図３に示す第１吸引部４３は、第１吸引手段４２によって吸引されて内部の空間が負圧にされる。第１吸引部４３は、搬送ベルト４０と対向する下部が開口しており、負圧にされた第１吸引部４３の下方を通過する搬送ベルト４０の穴４１に吸着力が生じる。第１吸引部４３に対応する吸着領域が第１吸着領域Ｋ１である。
【００４８】
また、図３において、第１吸引部４３の第１搬送方向＋Ｙにおける上流側には、第２吸引手段４４により負圧にされて複数の穴４１のうちの一部に吸着力を発生させる第２吸引部４５が設けられている。尚、第２吸引部４５は、後述する図４の下図に示す切替位置Ｆを基準とすると、搬送ベルト４０の環の内側であって、第１搬送方向＋Ｙにおいて第２搬送ローラー対３３と切替位置Ｆとの間に配置されていると言える。  
第２吸引手段４４は、導管４７を介して第２吸引部４５の内部の空気を吸引し、第２吸引部４５内を負圧にする。第２吸引手段４４としては、吸引ポンプや吸引ファンを用いることができる。第２吸引部４５に対応する吸着領域が第２吸着領域Ｋ２である。
【００４９】
第２搬送手段３４は、このあと図４及び図５を参照して説明するように、第２搬送ローラー対３３から受け渡された媒体Ｐを搬送ベルト４０に吸着して第１搬送方向＋Ｙに搬送し、媒体Ｐの第１端部Ｅ１が所定の切替位置Ｆまで搬送されたら、媒体Ｐを第２搬送方向−Ｙに向けて搬送して第１トレイ３５に載置するように構成されている。
【００５０】
以下において、図４及び図５を参照して、第２搬送手段３４による媒体Ｐの第１トレイ３５までの搬送について説明する。  
第２搬送ローラー対３３によって第１搬送方向＋Ｙに搬送されてきた媒体Ｐは、図４の上図に示すように、第１吸着領域Ｋ１及び第２吸着領域Ｋ２における吸着力により搬送ベルト４０に吸着されて、第１搬送方向＋Ｙに搬送される。図４の上図において、白抜きの矢印は、搬送ベルト４０の移動方向を示している。つまり、搬送ベルト４０は、図４の上図の平面視において時計回りに回転する。
【００５１】
媒体Ｐが図４の上図の状態から更に搬送されて、図４の下図に示すように、媒体Ｐの第１端部Ｅ１が切替位置Ｆまでくると、搬送ベルト４０の回転を逆にして、媒体Ｐを第２搬送方向−Ｙに搬送する。つまり、搬送ベルト４０は、図４の下図の平面視において反時計回りに回転される。  
尚、本実施形態において、第２搬送手段３４と第２搬送ローラー対３３との間には、媒体検出部４９が設けられており、媒体検出部４９における媒体Ｐの検出を基準として、搬送ベルト４０の回転方向の切り替えタイミングを決定することができる。  
例えば、第１搬送方向＋Ｙに搬送される媒体Ｐの第１端部Ｅ１を媒体検出部４９が検出してから、所定の駆動量だけ搬送ベルト４０を時計回りに回転させたら、第１端部Ｅ１が切替位置Ｆまで搬送されたものとして、搬送ベルト４０を反時計回りに回転させる。  
また、切替位置Ｆに媒体検出部を設け、切替位置Ｆにおける第１端部Ｅ１の検出タイミングで搬送ベルト４０の回転方向を切り替えても良い。
【００５２】
媒体搬送装置３０は、搬送ベルト４０の、第２吸着領域Ｋ２に吸着された媒体Ｐを、搬送ベルト４０から剥離する第２剥離手段５２を備えている。第２剥離手段５２は、第２吸着領域Ｋ２に対して、第２搬送方向−Ｙにおいて上流に回動軸５２ａを有し、下流を自由端として揺動する。第２剥離手段５２は、媒体Ｐを第２吸着領域Ｋ２に吸着する際には、図４の上図に示すように搬送ベルト４０の輪の内側に位置し、第２吸着領域Ｋ２に吸着された媒体Ｐを搬送ベルト４０から剥離する際には、図５の上図に示すように搬送ベルト４０の輪の外側に突出するように揺動する。  
第２剥離手段５２は、図６に示すように、幅方向であるＸ軸方向において、二つの搬送ベルト４０の間に設けられる第２剥離手段５２Ａと、二つの搬送ベルト４０の両側に設けられる第２剥離手段５２Ｂ及び第２剥離手段５２Ｃと、を備えている。つまり、第２剥離手段５２は、第２搬送方向−Ｙと交差する幅方向であるＸ軸方向に複数設けられている。
【００５３】
第１搬送方向＋Ｙに搬送される媒体Ｐの第１端部Ｅ１が切替位置Ｆに位置した後、媒体Ｐの搬送方向を、第１搬送方向＋Ｙから第２搬送方向−Ｙに切り替えるのに先立って、第２剥離手段５２を搬送ベルト４０の輪の外側に突出させる。  
このことによって、第２搬送方向−Ｙに媒体Ｐを搬送する際に、媒体Ｐが第２吸着領域Ｋ２に再吸着されることを抑制しつつ、搬送ベルト４０の下方に位置する第１トレイ３５に向けて媒体Ｐを誘導することができる。  
第２剥離手段５２は、図６に示すように、幅方向であるＸ軸方向において、二つの搬送ベルト４０の間に設けられている。
【００５４】
また、図３に示す媒体搬送装置３０は、搬送ベルト４０の、第１吸着領域Ｋ１に吸着された媒体Ｐを、搬送ベルト４０から剥離する第１剥離手段５１を備えている。  
搬送ベルト４０によって媒体Ｐが第２搬送方向−Ｙに送られて、図５の上図に示すように、媒体Ｐの第１端部Ｅ１が第１トレイ３５の整合部３８に位置したら、第１剥離手段５１によって媒体Ｐを第１吸着領域Ｋ１から剥離させる。以って、媒体Ｐの第１端部Ｅ１を所定の位置に揃えた状態で、媒体Ｐを第１トレイ３５に載置することができる。
【００５５】
第１剥離手段５１の具体的な構成について、図３、図８、及び図９を参照して説明する。第１剥離手段５１は、第２搬送方向−Ｙにおいて第１吸着領域Ｋ１の上流に設けられる回動軸５１ａと、第２搬送方向−Ｙに延設され、回動軸５１ａに対して回動することにより、搬送面４０ａから突出し、第１剥離手段５１の突出状態を成す第１状態（図８）と、搬送面４０ａから退避し、第１剥離手段５１の退避状態を成す第２状態（図３）と、を切り替え可能な腕部５５とを備えている。そして、腕部５５は、第２搬送方向−Ｙにおいて搬送面４０ａに対する突出方向への凸形状に形成され、突出開始部５３となる凸形状の頂部は、腕部５５の自由端５４よりも回動軸５１ａに近い位置に設けられている。
【００５６】
すなわち、第１剥離手段５１は、第１吸着領域Ｋ１に対して、第２搬送方向−Ｙにおいて上流に回動軸５１ａを有し、下流を自由端５４として揺動する。第１剥離手段５１は、媒体Ｐを第１吸着領域Ｋ１に吸着する際には、図３に示すように搬送ベルト４０の輪の内側に位置し、第２吸着領域Ｋ２に吸着された媒体Ｐを搬送ベルト４０から剥離する際には、図８に示すように搬送ベルト４０の輪の外側に突出するように揺動する。
【００５７】
第１剥離手段５１は、図３に示す退避状態から図８に示す突出状態に切り替わる過程において、図９に示すように、第１吸着領域Ｋ１の第２搬送方向−Ｙにおける中央Ｃよりも上流の突出開始部５３から突出を開始する。
【００５８】
第１剥離手段５１は、腕部５５の頂部が最初に搬送ベルト４０から突出する突出開始部５３となることになる。突出開始部５３が自由端５４よりも回動軸５１ａに近い位置にあるので、突出開始部５３に力がかかり易い構成とすることができる。
【００５９】
また、第１剥離手段５１は、腕部５５が第２搬送方向−Ｙにおいて搬送面４０ａに対する突出方向への凸形状に形成されており、凸形状の頂部である突出開始部５３が搬送面４０ａから突出した後、突出開始部５３の第２搬送方向−Ｙにおける上流及び下流が搬送面４０ａから突出するので、突出開始部５３を媒体Ｐの剥離の起点として媒体Ｐを円滑に剥がすことができる。  
また、第１剥離手段５１が、図８に示す突出状態において、第２搬送方向−Ｙの下流に向かうに従い、搬送面４０ａからの突出量が増加するように構成されていることにより、媒体Ｐを搬送ベルト４０から確実に剥離することができる。
【００６０】
また、第１剥離手段５１は、図８に示す突出状態において、第１吸着領域Ｋ１の第２搬送方向−Ｙにおける長さの半分以上の長さに亘って搬送面４０ａから突出する。  
本実施形態においては、第１剥離手段５１がほぼ第１吸着領域Ｋ１に亘って搬送面４０ａから突出するように構成されている。このことによって、媒体Ｐを搬送ベルト４０の第１吸着領域Ｋ１から確実に剥離することができる。
【００６１】
本実施形態において、第１剥離手段５１は、図６に示すように、幅方向であるＸ軸方向において、二つの搬送ベルト４０の間に設けられる第１剥離手段５１Ａと、二つの搬送ベルト４０の両側に設けられる第１剥離手段５１Ｂ及び第１剥離手段５１Ｃと、を備えている。第１剥離手段５１Ａ、第１剥離手段５１Ｂ、及び第１剥離手段５１Ｃは、媒体搬送装置３０において搬送可能な最小サイズの媒体Ｐの内側に配置されている。
【００６２】
以上のように、第２搬送手段３４は、第２搬送ローラー対３３から受け渡された媒体Ｐを搬送ベルト４０に吸着して第１搬送方向＋Ｙに搬送し、媒体Ｐの第１端部Ｅ１が所定の切替位置Ｆまで搬送されたら、媒体Ｐを第２搬送方向−Ｙに向けて搬送して第１トレイ３５に載置する。  
本実施形態では、切替位置Ｆは、第１吸着領域Ｋの第１搬送方向＋Ｙの上流端より上流である。即ち、第２搬送ローラー対３３から受け渡された媒体Ｐを搬送ベルト４０に吸着して第１搬送方向＋Ｙに搬送し、媒体Ｐの第１端部Ｅ１が第１吸着領域Ｋの第１搬送方向＋Ｙの上流端より上流まで搬送されたら、媒体Ｐを第２搬送方向−Ｙに向けて搬送して第１トレイ３５に載置する構成である。  
ここで、本実施形態における第１吸着領域Ｋは、第１搬送方向＋Ｙにおいて切替位置Ｆ（図４の下図）よりも下流であって、媒体Ｐの第１端部Ｅ１が整合部３８に位置したとき、媒体Ｐの第１搬送方向＋Ｙにおける下流の端部である第２端部Ｅ２の位置Ｇ（図５の上図）よりも上流に配置される。  
このことによって、第２搬送方向−Ｙに搬送される媒体Ｐの第１端部Ｅ１が整合部３８に位置するまで、第１吸着領域Ｋ１の全体に媒体Ｐが吸着されている状態となる。  
換言すれば、媒体Ｐの第１端部Ｅ１が整合部３８に位置したとき、第１吸着領域Ｋ１全体が媒体Ｐを吸着する。
【００６３】
例えば、第１吸着領域Ｋ１が位置Ｇよりも第１搬送方向＋Ｙにおける下流に配置されていると、第２搬送方向−Ｙに搬送される媒体Ｐの第１端部Ｅ１が整合部３８に位置する前に、第１吸着領域Ｋ１の一部に媒体Ｐが吸着されない状態となる。すると、第１吸着領域Ｋ１に位置する搬送ベルト４０において、媒体Ｐによって塞がれない穴４１ができることがある。  
第１吸着領域Ｋ１において、搬送ベルト４０の穴４１が媒体Ｐによって塞がれていないと、第１吸引部４３がリークした状態となり、第１吸引部４３内の圧力が高くなって穴４１における吸着力が下がる。また、第１吸引部４３がリークした状態で穴４１における吸着力を維持しようとすると、第１吸引手段４２による吸引を高める必要があり、第１吸引手段４２を駆動するためのエネルギーが嵩む。
【００６４】
本実施形態のように、第１吸着領域Ｋ１が、第１搬送方向＋Ｙにおいて切替位置Ｆ（図４の下図）よりも下流であって、媒体Ｐの第１端部Ｅ１が整合部３８に位置する際の、媒体Ｐの第１搬送方向＋Ｙにおける下流の端部である第２端部Ｅ２の位置Ｇ（図５の上図）よりも上流に配置されることにより、第１搬送方向＋Ｙに搬送される媒体Ｐが、切替位置Ｆにおいて搬送方向を第２搬送方向−Ｙに切り替えられた後、媒体Ｐの第１端部Ｅ１が整合部３８に位置するまで、第１吸引部４３によって吸着力が発生する複数の穴４１が、媒体Ｐによって第２搬送方向−Ｙに亘って確実に塞がれる。以って、第１吸引部４３におけるリークを少なくすることができる。したがって、第２搬送方向−Ｙに搬送される媒体Ｐの第１端部Ｅ１が整合部３８に位置するまで、搬送ベルト４０の穴に発生する吸着力が保持され、媒体Ｐを第１吸着領域Ｋ１に確実に吸着させて第２搬送方向−Ｙに搬送することができる。
【００６５】
第１吸着領域Ｋ１の上記配置は、媒体搬送装置３０において搬送可能な最小サイズの媒体Ｐに基づいて決めると良い。本実施形態において、第１吸着領域Ｋ１は、媒体搬送装置３０において搬送可能な最小サイズの媒体Ｐの第１端部Ｅ１が整合部３８に位置する際の、当該最小サイズの媒体Ｐの第２端部Ｅ２の位置Ｇ（図５の上図）よりも上流に配置されるように構成されている。  
このことによって、媒体搬送装置３０で搬送可能ないずれのサイズの媒体Ｐにおいても、第２搬送方向−Ｙに搬送される媒体Ｐの第１端部Ｅ１が整合部３８に位置するまで、第１吸引部４３によって吸着力が発生する複数の穴４１を、媒体Ｐによって第２搬送方向−Ｙに亘って塞ぐ構成とすることができる。以って、媒体搬送装置３０で搬送可能ないずれのサイズの媒体Ｐでも、第１吸着領域Ｋ１に確実に吸着させて第２搬送方向−Ｙに搬送することができる。
【００６６】
尚、第１吸着領域Ｋ１が切替位置Ｆの下流、且つ、位置Ｇの上流に位置していれば、第１吸引部４３の一部が、第１搬送方向＋Ｙにおいて切替位置Ｆの下流、或いは、位置Ｇの上流から外れた位置にあるような形状であってもよい。
【００６７】
また、図１０に示す変更例のように、第１吸着領域Ｋ１に吸着力を発生させる第１吸引部４３を複数の吸引部で構成することもできる。図１０に示す第１吸引部４３は、吸引部４３ａと吸引部４３ｂを備えている。吸引部４３ａと吸引部４３ｂとは、別々の吸引手段である吸引手段４２ａ、吸引手段４２ｂによってそれぞれ吸引されている。第１吸引部４３が複数の吸引部によって構成されていることにより、第１吸引部４３におけるリークの虞を一層低減できる。
【００６８】
また、本実施形態においては、第１搬送方向＋Ｙにおいて第２搬送ローラー対３３（第１搬送手段）と切替位置Ｆとの間に第２吸引部４５が設けられているので、媒体Ｐを第１搬送方向＋Ｙに搬送する際、第２搬送ローラー対３３から第２搬送手段３４の搬送ベルト４０に受け渡すことができる。
【００６９】
また、図６に示すように、本実施形態の第１吸引部４３及び第２吸引部４５は、第１搬送方向＋Ｙ及び第２搬送方向−Ｙと交差する幅方向であるＸ軸方向において、媒体搬送装置３０において搬送可能な最小サイズの媒体Ｐの内側に配置される。  
媒体の幅方向のサイズが、第１吸引部４３または第２吸引部４５よりも小さい場合、搬送ベルト４０の第１吸着領域Ｋ１及び第２吸着領域Ｋ２において、媒体によって塞がれない穴４１が生じる虞がある。媒体によって穴４１が塞がれていないと、第１吸引部４３または第２吸引部４５がリークした状態となり、第１吸引部４３内或いは第２吸引部４５内の圧力が高くなるとともに穴４１における吸着力が下がる虞がある。また、第１吸引部４３または第２吸引部４５がリークした状態で穴４１における吸着力を維持しようとすると、第１吸引手段４２または第２吸引手段４４による吸引を高める必要があり、第１吸引手段４２または第２吸引手段４４を駆動するためのエネルギーが嵩む。
【００７０】
第１吸引部４３及び第２吸引部４５が、幅方向において最小サイズの媒体Ｐの内側に配置されることにより、媒体搬送装置３０において搬送可能なすべてのサイズの媒体に対して、幅方向における第１吸引部４３及び第２吸引部４５のリークの虞を低減することができる。以って、媒体を搬送ベルト４０に確実に吸着することができる。
【００７１】
媒体搬送装置３０において、第１端部Ｅ１を整合部３８に揃えて第１トレイ３５に載置された一枚または複数枚の媒体Ｐに対しては、処理部３６によってステープル処理等の処理が施される。処理部３６による処理後の媒体Ｐは、第１トレイ３５から第２トレイ３７に排出される。  
第１トレイ３５は、図４及び図５の各図に示すように、第１トレイ３５内に位置する退避位置と、図７の上図に示すように、退避位置よりも第１トレイ３５から第２トレイ３７への排出方向である＋Ｙ方向に進出して第２トレイ３７上に位置する進出位置と、の間で変位可能に構成され、媒体Ｐを支持する支持部３９を備えている。整合部３８は、支持部３９に設けられている。
【００７２】
第２搬送手段３４によって媒体Ｐが第１トレイ３５に載置される際には、例えば図４及び図５の各図に示すように、支持部３９は第１トレイ３５内に位置する退避位置に位置する。  
第１トレイ３５に載置された媒体Ｐに、処理部３６による処理が施された後、第１トレイ３５から第２トレイ３７に媒体Ｐを排出する場合、図７の上図に示すように、支持部３９が媒体Ｐを支持した状態で進出位置に進出する。  
その後、不図示の規制部によって媒体Ｐの−Ｙ方向への移動が規制された状態で、図７の下図に示すように、支持部３９が退避位置に戻ることにより、媒体Ｐは第２トレイ３７上に落下する。以上のようにして、第１トレイ３５から第２トレイ３７に媒体Ｐが排出される。
【００７３】
尚、本実施形態において、処理ユニット４は、媒体搬送装置３０と、第１トレイ３５に載置された媒体に所定の処理を実行する処理部３６と、を備える「媒体処理装置」と捉えることができる。また、記録システム１は、媒体搬送装置３０と、第１トレイ３５に載置された媒体に所定の処理を実行する処理部３６と、を備える「媒体処理装置」と捉えることができる。また、記録システム１から記録機能を省いた装置を「媒体搬送装置」と捉えることもできる。或いは、記録機能を備えていても、媒体搬送の観点に着目すれば、記録システム１そのものが媒体搬送装置と捉えることもできる。
【００７４】
また、上記実施形態に限定されることなく、特許請求の範囲に記載した発明の範囲内で、種々の変形が可能であり、それらも本発明の範囲内に含まれるものであることは言うまでもない。
【符号の説明】
【００７５】
１…記録システム、２…記録ユニット、３…中間ユニット、４…処理ユニット（媒体処理装置）、５…プリンター部、６…スキャナー部、７…媒体収容カセット、８…記録後排出トレイ、１０…ラインヘッド、１１…搬送経路、１２…第１排出経路、１３…第２排出経路、１４…反転用経路、１５…制御部、２０…受入経路、２１…第１スイッチバック経路、２２…第２スイッチバック経路、２３…排出経路、２４…分岐部、２５…合流部、３０…媒体搬送装置、３１…搬送経路、３２…第１搬送ローラー対（第１搬送手段）、３３…第２搬送ローラー対（第１搬送手段）、３４…第２搬送手段、３５…第１トレイ（媒体載置部）、３６…処理部、３７…第２トレイ、３８…整合部、３９…支持部、４０…搬送ベルト、４１…穴、４２…第１吸引手段、４３…第１吸引部、４４…第２吸引手段、４５…第２吸引部、４６Ａ…第１ローラー、４６Ｂ…第２ローラー、４６Ｃ…第３ローラー、４６Ｄ…第４ローラー、４７…導管、４８…長孔、４９…媒体検出部、５１…第１剥離手段、５２…第２剥離手段  
【図１】
2020045193.tif 000003
【図２】
2020045193.tif 000004
【図３】
2020045193.tif 000005
【図４】
2020045193.tif 000006
【図５】
2020045193.tif 000007
【図６】
2020045193.tif 000008
【図７】
2020045193.tif 000009
【図８】
2020045193.tif 000010
【図９】
2020045193.tif 000011
【図１０】
2020045193.tif 000012